(57)【特許請求の範囲】
【請求項１】
遊技場に設置されている遊技台を含む複数の遊技機器の動作状態を管理する遊技場管理装置において、
前記遊技機器を管理する際に必要な各種定数および該各種定数によって遊技機器の管理を行う日付を入力するための入力手段と、
前記入力手段から入力される前記各種定数および該各種定数によって遊技機器の管理を行う日付を記憶するために用意された複数の定数記憶ファイルと、
前記複数の定数記憶ファイルのうちのいずれか１つを用いて前記遊技機器の管理を実行する管理実行手段と、
前記入力手段から前記各種定数および該各種定数によって遊技機器の管理を行う日付が入力されたとき、該各種定数を前記管理実行手段が前記遊技機器の管理に使用中でない定数記憶ファイルへ格納する定数格納手段と、
前記管理実行手段が前記遊技機器の管理を実行していない営業中以外の営業準備処理のとき、各定数記憶ファイルに格納されている遊技機器の管理を行う日付を基にして次回遊技機器の管理に用いる定数記憶ファイルを切り替える実行ファイル切替手段と、
前記定数記憶ファイルとして、実稼働定数が記憶された実稼働定数ファイルと１または２以上の変更用定数ファイルと、を備え、
前記入力手段に、前記変更用定数ファイルによる各種定数で遊技機器の動作状態の管理を開始する日付と、前記実稼働定数ファイルによる変更前の各種定数で遊技機器の動作状態の管理に戻す日付を入力し、
前記定数格納手段は、前記入力手段から入力された前記変更用定数ファイルによる各種定数で遊技機器の動作状態の管理を開始する日付と、前記実稼働定数ファイルによる変更前の各種定数で遊技機器の動作状態の管理に戻す日付の双方を前記変更用定数ファイルに格納し、
前記実行ファイル切替手段は、前記管理実行手段が遊技機器の管理を実行していない前記営業準備処理のとき、前記変更用定数ファイルに格納されている日付が、前記変更用定数ファイルによる各種定数で遊技機器の動作状態の管理を開始する日付のとき、前記実稼働定数ファイルの記憶内容をバックアップすると共に該変更用定数ファイルの記憶内容を該実稼働定数ファイルに複写し、前記実稼働定数ファイルによる変更前の各種定数で遊技機器の動作状態の管理に戻す日付のとき、バックアップしていた実稼働定数ファイルの記憶内容を復元し、
前記管理実行手段は、前記実稼働定数ファイルを用いて前記遊技機器の管理を実行することを特徴とする遊技場管理装置。
【発明の詳細な説明】
【０００１】
【発明の属する技術分野】
本発明は、遊技場に設置されている複数の遊技機器の動作状態を管理する遊技場管理装置に関する。
【０００２】
【従来の技術】
遊技場管理装置は、遊技場内に設置されているパチンコ機やアレンジボール機等の遊技台、玉貸機、景品玉計数器、カード自動販売機および金庫など各種遊技機器の動作状態を一括して管理する装置である。
【０００３】
遊技場管理装置は、アウト玉やセーフ玉の数、稼働率、特賞確立など遊技台についてのデータや、玉貸機、カード自動販売機での売上高など遊技機器に関する各種のデータを収集し分析するコンピュータ装置であり、一般に、ホールコンピュータまたは補給コンピュータと呼ばれている。
【０００４】
遊技場管理装置による管理を行う際には、遊技場内に配置されている遊技台、景品玉計数器等の各遊技機器やこれらをまとめて取り付けた島にそれぞれ機器番号や島番号を割り当て、各遊技機器がどの島に属しているかなどを示す設置定数を設定するようになっている。このほか、遊技機器を管理するに際して、打止数や補給個数を表す営業定数や音声定数など各種の定数が設定される。
【０００５】
遊技場管理装置は、これら各種定数をシステムメモリ上に一組分記憶し、営業中は、記憶されている各種定数を基に遊技場の管理を行うようになっている。
【０００６】
【発明が解決しようとする課題】
しかしながら、このような従来の遊技場管理装置では、各種の定数を記憶する領域を一組分しか備えていないので、遊技場の管理の基礎となる設置定数の変更を営業中に行うことができなかった。
【０００７】
このため、遊技台等の入れ替え等を行った後に行う設置定数の変更作業に長時間を要する場合には、該作業を遊技場の営業が行われていない深夜、早朝あるいは休店日に行わねばならず、その人件費が高騰するという問題があった。
【０００８】
本発明は、このような従来の技術が有する問題点に着目してなされたもので、遊技場の管理に必要な各種定数を営業中、営業前、営業後のいずれにおいても設定変更することができる遊技場管理装置を提供することを目的としている。
【０００９】
【課題を解決するための手段】
かかる目的を達成するための本発明の要旨とするところは、次の項の発明に存する。
［１］遊技場に設置されている遊技台（１１）を含む複数の遊技機器（１１〜１５）の動作状態を管理する遊技場管理装置（４０）において、
前記遊技機器（１１〜１５）を管理する際に必要な各種定数をおよび該各種定数によって遊技機器（１１〜１５）の管理を行う日付を入力するための入力手段（４０ｂ）と、
前記入力手段（４０ｂ）から入力される前記各種定数および該各種定数によって遊技機器（１１〜１５）の管理を行う日付を記憶するために用意された複数の定数記憶ファイル（４５ａ、４５ｂ）と、
前記複数の定数記憶ファイル（４５ａ、４５ｂ）のうちのいずれか１つ（４５ａ）を用いて前記遊技機器（１１〜１５）の管理を実行する管理実行手段（４０ａ）と、
前記入力手段（４０ｂ）から前記各種定数および該各種定数によって遊技機器（１１〜１５）の管理を行う日付が入力されたとき、該各種定数を前記管理実行手段（４０ａ）が前記遊技機器（１１〜１５）の管理に使用中でない定数記憶ファイル（４５ｂ）へ格納する定数格納手段（４１）と、
前記管理実行手段（４５ａ）が前記遊技機器（１１〜１５）の管理を実行していない営業中以外の営業準備処理のとき、各定数記憶ファイル（４５ａ、４５ｂ）に格納されている遊技機器（１１〜１５）の管理を行う日付を基にして次回遊技機器（１１〜１５）の管理に用いる定数記憶ファイル（４５ａ、４５ｂ）を切り替える実行ファイル切替手段（４１）と、
前記定数記憶ファイル（４５ａ、４５ｂ）として、実稼働定数が記憶された実稼働定数ファイルと（４５ａ）１または２以上の変更用定数ファイル（４５ｂ）と、を備え、
前記入力手段（４０ｂ）に、前記変更用定数ファイル（４５ｂ）による各種定数で遊技機器（１１〜１５）の動作状態の管理を開始する日付と、前記実稼働定数ファイル（４５ａ）による変更前の各種定数で遊技機器（１１〜１５）の動作状態の管理に戻す日付を入力し、
前記定数格納手段（４１）は、前記入力手段（４０ｂ）から入力された前記変更用定数ファイル（４５ｂ）による各種定数で遊技機器（１１〜１５）の動作状態の管理を開始する日付と、前記実稼働定数ファイル（４５ａ）による変更前の各種定数で遊技機器（１１〜１５）の動作状態の管理に戻す日付の双方を前記変更用定数ファイル（４５ｂ）に格納し、
前記実行ファイル切替手段（４１）は、前記管理実行手段（４０ａ）が遊技機器（１１〜１５）の管理を実行していない前記営業準備処理のとき、前記変更用定数ファイル（４５ｂ）に格納されている日付が、前記変更用定数ファイル（４５ｂ）による各種定数で遊技機器（１１〜１５）の動作状態の管理を開始する日付のとき、前記実稼働定数ファイル（４５ａ）の記憶内容をバックアップすると共に該変更用定数ファイル（４５ｂ）の記憶内容を該実稼働定数ファイル（４５ａ）に複写し、前記実稼働定数ファイル（４５ａ）による変更前の各種定数で遊技機器（１１〜１５）の動作状態の管理に戻す日付のとき、バックアップしていた実稼働定数ファイル（４５ａ）の記憶内容を復元し、
前記管理実行手段（４０ａ）は、前記実稼働定数ファイル（４５ａ）を用いて前記遊技機器（１１〜１５）の管理を実行することを特徴とする遊技場管理装置。
【００１２】
前記本発明は次のように作用する。
遊技場管理装置（４０）は、遊技機器（１１〜１５）を管理する際に必要な各種定数を複数組み分記憶できるように、これら各種定数および該各種定数によって遊技機器（１１〜１５）の管理を行う日付を記憶するための定数記憶ファイル（４５ａ、４５ｂ）を複数備えている。
【００１３】
遊技場の管理を実行する管理実行手段（４０ａ）は、これら定数記憶ファイル（４５ａ、４５ｂ）のうちのいずれか１つ（４５ａ）を用いて管理を実行する。
【００１４】
定数格納手段（４１）は、入力手段（４０ｂ）から入力された各種定数および該各種定数によって遊技機器（１１〜１５）の管理を行う日付を、管理実行手段（４０ａ）が遊技機器（１１〜１５）の管理に使用していない定数記憶ファイル（４５ｂ）に格納する。そして実行ファイル切替手段（４１）は、管理実行手段（４０ａ）が遊技場の管理を実行していない営業中以外の営業準備処理のとき、すなわち、営業時間帯以外に、次回の管理で参照する定数記憶ファイル（４５ａ）を切り替える。これにより、営業中であっても定数の設定作業を行うことができる。
【００１５】
また、各種定数および該各種定数によって遊技機器（１１〜１５）の管理を行う日付を入力手段（４０ｂ）から入力し、各種定数および該各種定数によって遊技機器（１１〜１５）の管理を行う日付を遊技場の管理に現在使用中でない定数記憶ファイル（４５ｂ）に格納する。
【００１６】
実行ファイル切替手段（４１）は、管理実行手段（４０ａ）が遊技機器（１１〜１５）の管理を実行していない営業中以外の営業準備処理のときに、各定数記憶ファイルに格納されている各種定数および該各種定数によって遊技機器（１１〜１５）の管理を行う日付を基にして次回遊技機器の管理に用いる定数記憶ファイル（４５ａ）を切り替える。
【００１７】
これにより、数日前に変更用の各種定数を定数記憶ファイル（４５ｂ）に格納しておき、指定した日に変更用の各種定数によって遊技場の管理を実行することができる。
【００１８】
また、定数記憶ファイル（４５ａ、４５ｂ）として、実稼働定数が記憶された実稼働定数ファイル（４５ａ）と１または２以上の変更用定数ファイル（４５ｂ）とを備え、入力手段（４０ｂ）から入力された変更用定数ファイル（４５ｂ）による各種定数で遊技機器（１１〜１５）の動作状態の管理を開始する日付と、実稼働定数ファイル（４５ａ）による変更前の各種定数で遊技機器（１１〜１５）の動作状態の管理に戻す日付が入力されると、定数格納手段（４１）により、変更用定数ファイル（４５ｂ）による各種定数で遊技機器（１１〜１５）の動作状態の管理を開始する日付と、実稼働定数ファイル（４５ａ）による変更前の各種定数で遊技機器（１１〜１５）の動作状態の管理に戻す日付の双方が変更定数ファイル（４５ｂ）に格納される。
【００１９】
そして、実行ファイル切替手段（４１）は、管理実行手段（４０ａ）が遊技機器（１１〜１５）の管理を実行していない前記営業準備処理のとき、変更用定数ファイル（４５ｂ）に格納されている日付が、変更用定数ファイル（４５ｂ）による各種定数で遊技機器（１１〜１５）の動作状態の管理を開始する日付のとき、実稼働定数ファイル（４５ａ）に記憶内容をバックアップするとともに、変更用定数ファイル（４５ｂ）の記憶内容を実稼働定数ファイル（４５ａ）に複写し、実稼働定数ファイル（４５ａ）による変更前の各種定数で遊技機器（１１〜１５）の動作状態の管理に戻す日付のとき、バックアップしていた実稼働定数ファイル（４５ａ）に記憶内容を復元して、管理実行手段（４０ａ）により実稼働定数ファイル（４５ａ）を用いて遊技機器（１１〜１５）の管理を実行するので、サービス期間が終了して通常状態での営業に戻すことができ、もって、定数記憶ファイル（４５ａ、４５ｂ）の管理を容易に行うことができる。
【００２０】
【発明の実施の形態】
以下、図面に基づき本発明の一実施の形態を説明する。
各図は本発明の一実施の形態を示している。
図２に示すように、遊技場内には、パチンコ機などの遊技台１１、玉貸機１２、島端金庫１３、カード自動販売機１４、景品玉計数器１５など各種の遊技機器が設置されており、各遊技機器はそれぞれ台コントローラ２０ａ、２０ｂに接続されている。
【００２１】
台コントローラ２０ａ、２０ｂは、ＬＯＮ（ローカル・オペレーティング・ネットワーク）３１を介して島コントローラ３０ａに接続されている。島コントローラ３０ｂ、島コントローラ３０ｃには、図示していないが、島コントローラ３０ａと同様に各種遊技機器の接続された複数の台コントローラがＬＯＮを通じて接続されている。
【００２２】
島コントローラ３０ａ〜３０ｃは、ＨＵＢ（集線装置）３２によりまとめられ、ＬＡＮ（ローカル・エリア・ネットワーク）３３を通じてホール端末４０と接続されている。このほか、ＬＡＮ３３には、顧客と対応するためのカウンタに設置されているカウンタ端末３４が接続されている。
【００２３】
ホール端末４０は、ＬＡＮ３３、ＬＯＮ３１を介して接続されている各種の遊技機器を統括的に管理する遊技場管理装置として機能し、営業成績（売上データ）の把握や遊技台の稼働を中心とした各種玉の流れに関連するデータの確認、さらに遊技台の制御や釘の調整などに関する情報を提供するための装置である。
【００２４】
ホール端末４０には、周辺装置として、各種の計数データやこれらを処理した管理データなどを保存するためのデータベース５１と、計数データや管理データを印刷するためのプリンタ５２と、音声出力装置５３が接続されている。音声出力装置５３は、無線回線によってインカム５４から音声信号を受信するようになっている。プリンタ５２は、ここでは赤、黒の２色を印刷できるものを用いている。
【００２５】
図１は、ホール端末４０の構成の概要を表している。ホール端末４０は、遊技店に設置されている各種遊技機器を管理するシステムの核となる遊技場管理装置としてのコンピュータ装置であり、本体部４０ａと、コンソール部４０ｂとから構成されている。
【００２６】
本体部４０ａは、ＣＰＵ（中央処理装置）４１、ＲＯＭ（リード・オンリ・メモリ）４２およびＲＡＭ４３（ランダム・アクセス・メモリ）等のほか、ＬＡＮによる通信を行なうＬＡＮコントローラ４４や各種のデータを大量に記憶する磁気ディスク装置４５およびコンソール部４０ｂを接続する入出力部４６とから構成される。また、日付を管理するための日付管理部４７を備えている。
【００２７】
本体部４０ａの磁気ディスク装置４５には、営業中に、遊技場の管理を行う際に実際に参照する実稼働定数を記憶した実稼働定数ファイル４５ａと、営業中、営業前後を問わず、コンソール部４０ｂから入力された変更後の各種定数としての変更用定数を記憶するための変更用定数ファイル４５ｂを格納している。
【００２８】
実稼働定数ファイル４５ａ、変更用定数ファイル４５ｂには、設置定数、営業定数、音声定数、印刷定数とこれらの定数を参照して遊技場の管理を実行すべき日付とが格納される。設置定数とは、遊技台１１、玉貸機１２、島端金庫１３、カード自動販売機１４、景品玉計数器１５などの機器番号（台番号）やそれらの機種、および各遊技機器の接続される島の島番号、各機種の信号比等である。これらにより、遊技場管理装置は、遊技場内における島構成やホール構成を定義する。
【００２９】
営業定数は、打止数、補給個数を設定するものである。音声定数は、遊技台１１の状態や異常を音声出力装置５３に出力するための定数である。印刷定数は、遊技台１１の営業結果や玉貸機１２の売り上げ結果を印刷するための定数である。
【００３０】
ＲＡＭ４３には遊技場内の遊技機器から到来する各種計数データを保存するようになっている。計数データには、遊技台１１からのアウト玉、セーフ玉の数、玉貸機１２、カード自動販売機１４などからの売上データ（投入された紙幣数や硬貨の数）などがある。
【００３１】
ホール端末４０のコンソール部４０ｂは、キーボード４８と、タッチパネル部４８ａを具備した９インチカラー液晶ディスプレイ４９とを備えている。
図２に示した、島コントローラ３０ａ〜３０ｃは、ホール端末４０と台コントローラ２０ａ、ｂの中継機能を有するコンピュータ装置であり、図示しない本体部とコンソール部を備えている。島コントローラ３０ａ〜３０ｃは、台コントローラ２０ａ等によって取り込まれた遊技台１１、玉貸機１２、島端金庫１３など各種遊技機器からの計数データを吸い上げて収集し保存するとともに、これをホール端末４０に送信する機能を備えている。
【００３２】
台コントローラ２０ａ、ｂは、遊技台１１、玉貸機１２、島端金庫１３など各種遊技機器から各種の信号（計数データ等）を取り込むコンピュータ装置である。また、取り込む信号の種類によって、正常／異常の状態検出や、玉補給、打止等の遊技台１１制御を行なうようになっている。また取り込んだ計数データや検出した状態を上位装置（島コントローラ）に通知する通信機能を有している。
【００３３】
たとえば、台コントローラ２０ａから遊技台１１へは、打止制御、開放制御、補給制御、ハンドルストップ制御用の信号を送り、台コントローラ２０ａは遊技台１１から、入玉信号、出玉信号、スタート信号、特賞信号、不正信号、確率変動信号などを取り込むようになっている。
【００３４】
図２では島コントローラ３０ａに２台の台コントローラが接続されているが、各島コントローラ３０ａ〜３０ｃには、多数の台コントローラを接続することができ、各島には、通常、数十台の遊技台１１および玉貸機１２（サンド）が設置される。また、島コントローラ３０は、遊技店の規模に応じて、必要な台数設置される。
【００３５】
打止制御など各種の管理は、実稼働定数ファイル４５ａに格納されている実稼働定数を参照して行われる。たとえば、ホール端末４０は、実稼働定数ファイル４５ａに格納されている設置定数を基にして島構成やホール構成を認識し、島別の集計処理等を行うようになっている。
【００３６】
遊技場管理装置の処理は、実稼働定数ファイル４５ａを参照して遊技場の管理を実行する通常営業処理と、管理の際に参照する定数の値を遊技台の入れ替え等に伴って変更するための定数変更処理と、管理の実行を開始する際に、今回の管理で参照すべき定数記憶ファイルを日付を基にして判別し、必要な場合に変更用定数ファイル４５ｂの内容を実稼働定数ファイル４５ａに複写する営業準備処理に大別される。ここでは、営業準備処理を、装置の電源が投入されたとき、自動的に実行するようになっている。
【００３７】
通常営業処理と、定数変更処理は、独立にあるいは並行して行うことができる。すなわち、営業中、営業前後にかかわらず定数変更処理を実行することができる。設置定数は、島構成等、管理の基本的要素なので、営業中（管理の実行中）に変更することはできないが、実稼働定数ファイル４５ａを直に変更せず、変更後の定数（変更用定数）を変更用定数ファイル４５ｂに格納しているので、営業状態にかかわらず定数変更処理を行うことが可能になっている。
【００３８】
このほか、遊技場管理装置は、実稼働定数ファイル４５ａの記憶内容のうち営業定数、音声定数を変更するための実稼働定数変更処理を備えている。設置定数は、営業中に変更できないが、打止数などの営業定数や音声定数は営業中に変更する必要性があり、またこれらを変更しても管理を継続することができる。そこで、営業中であっても実稼働定数ファイル４５ａの記憶内容のうち営業定数および音声定数を随時変更するための実稼働定数変更処理を設けて有る。
【００３９】
実稼働定数変更処理は、設置定数の変更が禁止される点、および変更対象のファイルが実稼働定数ファイル４５ａである点のほかは、定数変更処理と同一である。
【００４０】
図３は、定数変更処理における設定作業の流れを示している。まず、変更する定数の値を入力し（ステップＳ２０１）、次にその定数によって遊技場の管理を実行する日付（指定日）を入力する（ステップＳ２０２）。日付の確定後、設定された変更用定数が変更用定数ファイル４５ｂに格納され保存される（ステップＳ２０３）。この処理は、先に説明したように、営業中、営業前後のいずれにおいても行うことができる。
【００４１】
図４は、営業準備処理の概要を示している。営業前状態から営業中状態に移行する前に、まず実稼働定数ファイル４５ａの内容を変更する必要性があるか否かが調べられる（ステップＳ３０１）。これは、変更用定数ファイル４５ｂに記憶されている日付が、当日の日付と一致するか否かを基に判別される。
【００４２】
実稼働定数ファイル４５ａの内容を変更する必要があるときは（ステップＳ３０１；Ｙ）、変更用定数ファイル４５ｂの内容を実稼働定数ファイル４５ａに複写し（ステップＳ３０２）、複写後の実稼働定数ファイル４５ａを参照して通常営業が開始される（ステップＳ３０３）。
【００４３】
一方、実稼働定数ファイル４５ａの変更が必要ないときは（ステップＳ３０１；Ｎ）、変更用定数ファイル４５ｂからの複写を行わず、現在の実稼働定数ファイル４５ａの内容をそのまま用いて通常営業が開始される（ステップＳ３０３）。
【００４４】
このように、変更用定数を設定した場合には、変更予定日（指定日）になるまでは、実稼働定数ファイル４５ａに記憶されている実稼働定数で営業管理が行なわれ、変更予定日になったとき、変更用定数を実稼働定数として運用する。
【００４５】
図５は、定数変更処理の内容をより詳細に表したものである。この処理は、実稼働定数ファイル４５ａに実稼働定数が何も格納されていない初期状態であるか否かにより処理内容を変更するようになっている。操作者によって変更定数メニューが選択されると（ステップＳ４０１）、コンソール部４０ｂのディスプレイ４８に図６に示す定数変更予定日設定画面を表示する（ステップＳ４０２）。このとき、実稼働定数ファイル４５ａに実稼働定数が何も格納されていない初期状態であるか否かを調べ（ステップＳ４０３）、初期状態のときは（ステップＳ４０３；Ｙ）、初期導入動作（ステップＳ４０４）を実行する。一方、初期状態でない場合には（ステップＳ４０３；Ｎ）、通常変更動作（ステップＳ４０５）を実行する。
【００４６】
定数変更予定日設定画面６０は、図６に示すように、画面名称等を表示する画面タイトル表示領域６１と、定数変更予定日を表示する予定日表示領域６２と、定数設定の作業項目等を選択するための選択スイッチを表示する選択スイッチ表示領域６３を備えている。
【００４７】
画面タイトル表示領域６１のヘルプキー６１ａ、前画面キー６１ｃ、および選択スイッチ表示領域６３の各選択スイッチ６３ａ〜６３ｅはそれぞれタッチキーになっている。定数新規キー６３ａは、定数を新規に作成する画面に移行するための選択キーである。予定日変更キー６３ｂは、定数変更予定日を入力するための選択キーである。
【００４８】
設置定数を設定する場合には、設置定数メニューキー６３ｃを押下する。営業定数メニューキー６３ｄは、打止数などの営業定数を設定する状態に、音声設定メニューキー６３ｅは、各種の音声定数を設定する状態に、それぞれ移行する選択キーである。
【００４９】
図７は、図５に示した初期導入動作の処理内容を表している。初期状態では、実稼働定数ファイル４５ａには定数の格納は行われていない。また、変更用定数ファイル４５ｂには設置定数、営業定数、音声定数の初期値が予め格納されている。操作者は、図６に示した定数変更予定日設定画面６０の定数新規キー６３ａを選択し、続いて、管理を実行する日付（開店または稼働する日付）を入力する（ステップＳ５０２）。その後、設置定数メニューキー６３ｃを選択し、各種設置定数の設定が行われ（ステップＳ５０３）、設定された設置定数が変更用定数ファイル４５ｂに格納される。
【００５０】
続いて、営業定数メニューキー６３ｄ、音声定数メニューキー６３ｅがそれぞれ押下され、営業定数と音声定数の設定が行なわれ（ステップＳ５０４、Ｓ５０５）、これらが変更用定数ファイル４５ｂに格納される。ここまでの操作では、変更用定数ファイル４５ｂだけに各種の定数が格納され、実稼働定数ファイル４５ａには入力された定数の格納は行われない。
【００５１】
最後に印刷定数を設定する。印刷定数は、変更用定数ファイル４５ｂのほか実稼働定数ファイル４５ａにも格納される。
【００５２】
初期導入動作により、変更用定数ファイル４５ｂには、設置定数、営業定数、音声定数、印刷定数がそれぞれ格納され、実稼働定数ファイル４５ａには印刷定数のみが格納される。これで定数の設定が終了したので、業務終了を選択し、装置の電源をオフにする。
【００５３】
図８は、図５に示した通常変更動作の処理内容を表している。定数新規キー６３ａが押下されると（ステップＳ６０１；Ｙ）、図９に示す定数作成確認画面７０が表示される（ステップＳ６０２）。定数作成確認画面７０には、新規作成キー７１、参照作成キー７２、取り消しキー７３の各タッチキーと画面の説明メッセージが表示される。
【００５４】
新規作成キー７１が押下されると（ステップＳ６０３；Ｙ）、変更用定数ファイル４５ｂの内容を初期化して（ステップＳ６０４）全く新規に変更用定数の設定を行うことができる。参照作成キー７２が押下されると（ステップＳ６０５；Ｙ）、現在の実稼働定数ファイル４５ａの内容が、変更用定数ファイル４５ｂに複写される（ステップＳ６０７）。取り消しキー７３が選択されると（ステップＳ６０８；Ｙ）、定数の新規作成を取り消し、定数変更予定日設定画面６０に戻る（ステップＳ６０８）。
【００５５】
変更用定数ファイル４５ｂの初期化あるいは実稼働定数ファイル４５ａからの複写が行われると、定数変更予定日設定画面６０に戻り（ステップＳ６０９）、その後、予定日変更メニューキー６３ｂを押下すると、予定日の入力が可能な状態になる。ここで、操作者は、開店日等の変更予定日を入力し、図示しない確定キーを押下することで、予定日の日付が変更用定数ファイル４５ｂに格納される（ステップＳ６１０）。
【００５６】
予定日を入力した後、設置定数メニューキー６３ｃ、営業定数メニューキー６３ｄ、音声定数メニューキー６３ｅの各タッチキーを押下すると、それぞれ、設置定数メニュー、営業定数メニュー、音声定数メニューに移行し、変更用定数の設定が行われる（ステップＳ６１１、Ｓ６１２、Ｓ６１３）。各定数メニューにおいて前画面キー６１ｂが押下されると、定数変更予定日設定画面６０に戻る。また各定数メニュー画面では、メインメニューに戻るタッチキーは表示されない。なお、印刷定数の設定は、基本的に、初期導入動作時あるいは営業中に行われるように運用される。
【００５７】
このように、遊技台１１の入れ替え等の後に行う定数の設定変更作業では、既に現時点での各種定数が実稼働定数ファイルに設定されているので、これを基にして定数の変更作業を行うことができるようになっている。
【００５８】
図１０は、営業準備処理の流れを表したものである。装置の電源が投入されるとまず、当日が変更用定数ファイル４５ｂに登録されている変更予定日であるか否かを調べる（ステップＳ７０１）。当日の日付は図１に示した日付管理部４７により管理されている。
【００５９】
変更予定日のときは（ステップＳ７０１；Ｙ）、実稼働定数ファイル４５ａの内容を変更用定数ファイル４５ｂの内容に書き換えることの確認メッセージをディスプレイ４８に表示する（ステップＳ７０２）。操作者が実稼働定数ファイル４５ａの内容を変更する旨を承諾し確認したとき（ステップＳ７０３；Ｙ）、実稼働定数ファイル４５ａの内容が設定済みのであれば（ステップＳ７０４；Ｙ）、現在の実稼働定数ファイル４５ａの内容を１世代前の定数としてバックアップする（ステップＳ７０５）。
【００６０】
その後、変更用定数ファイル４５ｂの内容を実稼働定数ファイル４５ａに複写し（ステップＳ７０６）、営業可能な状態へ（営業前状態）に移行する（ステップＳ７０７）。また必要に応じて印刷定数の設定を行う（ステップＳ７０８）。その後、営業中状態に移行する図示しない操作キーが押下されると、通常営業状態になる（ステップＳ７０９）。
【００６１】
変更予定日であって（ステップＳ７０１；Ｙ）、変更確認で「いいえ」が選択された場合（ステップＳ７０３；Ｎ）、および変更予定日でない場合は（ステップＳ７０１；Ｎ）、変更用定数ファイル４５ｂに各種定数が設定済みであるか否かを調べる（ステップＳ７１０）。
【００６２】
設定済みでない場合には（ステップＳ７１０；Ｎ）、実稼働定数ファイル４５ａによって営業を開始することができないので、その旨の確認メッセージを表示し（ステップＳ７１１）、定数設定を受け付ける状態に移行する（ステップＳ７１２）。実稼働定数ファイル４５ａが設定済みで存在するときは（ステップＳ７１０；Ｙ）、変更用定数ファイル４５ｂから実稼働定数ファイル４５ａへの複写を行わず、現時点の実稼働定数ファイル４５ａのままで営業前状態に移行する（ステップＳ７０７）。
【００６３】
なお、予定日を次の日以降に延期する場合には、操作者自ら定数変更予定日を設定変更する。ステップＳ７０３で「いいえ」が選択された場合であっても、装置が自動的に変更予定日を設定変更することは行わないようになっている。
【００６４】
図１１は、変更用定数ファイル４５ｂが登録されている際の動作状態の変遷の一例を表している。ここでは、変更用定数ファイル４５ｂに、その実行を開始する日と、変更前の実稼働定数ファイル４５ａによる営業状態に戻す日の双方を登録できるようになっている。通常営業を行っている期間（８１）の任意の日（８２）に変更用定数ファイル４５ｂの設定が行われ、変更用定数ファイル４５ｂを基に営業を開始すべき日（変更予定日、ここでは新装開店日）と、新装開店によるサービス期間を終了して通常状態での営業に戻す変更予定日（従来営業日）がそれぞれ指定されている。
【００６５】
変更用定数ファイル４５ｂの設定変更が行われてから、新装開店日が到来するまでの各日は、従来からの実稼働定数ファイル４５ａの登録内容に基づいて営業が行われる。新装開店日８３が到来すると、実稼働定数ファイル４５ａの内容がバックアップされ、変更用定数ファイル４５ｂの内容が実稼働定数ファイル４５ａに複写される。そして、変更後の定数によって営業が行われる。
【００６６】
従来営業に戻す指定日である従来営業日８４が到来すると、バックアップしておいた定数を実稼働定数ファイル４５ａに復帰させ、元の定数によって従来通りの営業を再開している。
【００６７】
このように、変更用定数を、実稼働定数ファイル４５ａとは別に用意した変更用定数ファイル４５ｂに登録するようにしたので、変更日以前の営業中に設置定数等の設定登録を行うことができる。これにより、深夜や休店日に設定作業を行う必要がなく、サービスマンの負担が低減され、また時間外労働による人件費や諸経費の高騰を防ぐことができる。また、長い時間をかけて定数の設定作業を行うことができるので、入力ミスが生じ難くい。さらに、数日前から設定変更が可能なので、間違った定数を設定したとしても、営業日前に訂正することが可能になり、障害の発生を回避することができる。
【００６８】
図１２は、定数の設定状態を印刷した際の印刷内容の一例を表している。定数種別の項目９１には、帳票の各項目に印刷されている定数が、実稼働定数ファイル４５ａに記憶されている定数であるか、変更用定数ファイル４５ｂに記憶されている定数であるかを識別するための種別が印刷されている。
【００６９】
このようにファイルの種別を付して印刷するので、定数の設定状態を実稼働用と変更用にそれぞれ区別して認識することができる。
【００７０】
以上説明した実施の形態では、変更用定数ファイル４５ｂを１つ用意したが、これを複数設け、複数種類の設定を登録できるようにしてもよい。ただし、変更予定日は変更用定数ファイル４５ｂごとに相違させる必要がある。
【００７１】
また実施の形態では、変更用定数ファイル４５ｂの内容を実稼働定数ファイル４５ａに複写するようにしたが、ファイルの種類を必ずしも分けないくてもよい。すなわち、定数を記憶するための定数記憶ファイルを複数用意しておき、実行の際に参照するファイルをその予定日によって選択し、変更予定日が当日と相違するファイルを変更用のファイルとして使用してもよい。
【００７２】
たとえば、２つの定数記憶ファイルを設け、いずれか一方を実行用ファイルとして、他方を変更用ファイルとして用いるようにし、各ファイルを実行用と変更用に交互に入れ替えて使用するようにしてもよい。
【００７３】
このほか、実施の形態では、装置の電源を投入した際に、営業準備処理を行うようにしたが、営業を開始するための操作が行われる等、営業前から営業中の状態に移行する際に、営業準備処理を行うようにしてもよい。
【００７４】
また実施の形態では、島コントローラ３０や台コントローラ２０をＬＡＮ３３やＬＯＮ３１を介して接続する分散型システムとしたが、ホール端末と各遊技機器を直接的に接続するようなシステムであってもよい。
【００７５】
【発明の効果】
本発明にかかる遊技場管理装置によれば、定数記憶ファイルを複数用意し、いずれか１つを実行時の参照用に用い、参照されていない他のファイルに変更用の定数を格納するので、営業中であっても各種定数の設定作業を行うことができる。
【００７６】
また、定数記憶ファイルに各種定数および該各種定数によって遊技機の管理を行う日付を格納し、該各種定数および該各種定数によって遊技機器の管理を行う日付を基にして次回の管理に用いる定数記憶ファイルを切り替えるようにしたので、数日前に変更用の各種定数の変更作業を行い、指定日に変更用の各種定数によって遊技場の管理を行うことができる。
【００７７】
また、変更用定数ファイルと実稼働定数ファイルとを設け、遊技機の管理を実行していない営業中以外の営業準備処理のとき、変更用定数ファイルに格納されている日付が、変更用定数ファイルによる各種定数で遊技機器の動作状態の管理を開始する日付のとき、実稼働定数ファイルの記憶内容をバックアップすると共に、変更用定数ファイルの記憶内容を実稼働定数ファイルに複写し、実稼働定数ファイルによる変更前の各種定数で遊技機器の動作状態の管理に戻す日付のとき、バックアップしていた実稼働定数ファイルの記憶内容を復元するのでサービス期間を終了して通常状態での営業に戻すことができるので定数記憶ファイルの管理を容易に行うことができる。
【図面の簡単な説明】
【図１】本発明の一実施の形態に係る遊技場管理装置としてのホール端末の構成を示すブロック図である。
【図２】本発明の一実施の形態に係る遊技場管理装置を用いた遊技場管理システムの構成を表したブロック図である。
【図３】定数変更処理における作業の流れを示す流れ図である。
【図４】営業準備処理の概要を示す流れ図である。
【図５】定数変更処理の内容をより詳細に示す流れ図である。
【図６】定数変更予定部設定画面の一例を示す説明図である。
【図７】図６に示した初期導入動作の処理内容を示す流れ図である。
【図８】図５に示した通常変更動作の処理内容を示す流れ図である。
【図９】定数作成確認画面の一例を示す説明図である。
【図１０】営業準備処理の流れを示す流れ図である。
【図１１】変更用定数ファイルが登録されている際の動作状態の変遷の一例を示す説明図である。
【図１２】定数の設定状態を印刷した様子の一例を示す説明図である。
【符号の説明】
１１…遊技台
１２…玉貸機
１３…島端金庫
１４…カード自動販売機
１５…景品玉計数器
２０、２０ａ、２０ｂ…台コントローラ
３０、３０ａ、３０ｂ、３０ｃ…島コントローラ
３１…ＬＯＮ
３３…ＬＡＮ
３２…集線装置（ＨＵＢ）
３４…カウンタ端末
４０…ホール端末
４０ａ…本体部
４０ｂ…コンソール部
４１…ＣＰＵ
４２…ＲＯＭ
４３…ＲＡＭ
４４…ＬＡＮコントローラ
４５…磁気ディスク装置
４５ａ…実稼働定数ファイル
４５ｂ…変更用定数ファイル
４６…入出力部
４７…日付管理部
４８…ディスプレイ
４８ａ…タッチパネル部
４９…キーボード
５１…データベース
５２…プリンタ
５３…音声出力装置
５４…インカム
６０…定数変更予定日設定画面
６１…画面タイトル表示領域
６１ａ…ヘルプキー
６１ｂ…前画面キー
６２…予定日表示領域
６３…選択スイッチ表示領域
６３ａ…定数新規キー
６３ｂ…予定日変更メニュー
６３ｃ…設置定数メニューキー
６３ｄ…営業定数メニュー
６３ｅ…音声定数メニューキー
７０…定数作成確認画面
７１…新規作成キー
７２…参照作成キー
７３…取り消しキー
８１…通常営業期間
８２…設定変更日
８３…変更予定日（新装開店日）
８４…従来営業日
９１…定数種別
【図１】
0004017693.tif 000002
【図２】
0004017693.tif 000003
【図３】
0004017693.tif 000004
【図４】
0004017693.tif 000005
【図５】
0004017693.tif 000006
【図６】
0004017693.tif 000007
【図７】
0004017693.tif 000008
【図８】
0004017693.tif 000009
【図９】
0004017693.tif 000010
【図１０】
0004017693.tif 000011
【図１１】
0004017693.tif 000012
【図１２】
0004017693.tif 000013